(57)【要約】【課題】閉鎖型廃棄物処分場において、空間内に偏在する各種有毒ガスを確実に検出してその濃度を測定できるようにした。【解決手段】屋根付き廃棄物処分場１の天井部より吊り下げられ、かつ先端部に吸引口１０を設けたガスサンプリング管９と、サンプリング管９を上下方向に移動させる巻き取り装置８と、廃棄物処分場１外に導出された前記サンプリング管９の吸引端に接続されたガス検知手段１４，１５とを備えた。【選択図】    図１
2005186024.tif 000002
【特許請求の範囲】
【請求項１】
廃棄物を埋設する廃棄物処分場におけるガス検知システムであって、
廃棄物処分場の天井部より吊り下げられ、かつ先端部に吸引口を設けたガスサンプリング管と、サンプリング管を上下方向に移動させる垂直移動手段と、廃棄物処分場外に導出された前記サンプリング管の吸引端に接続されたガス検知手段とを備えたことを特徴とする廃棄物処分場のガス検知システム。
【請求項２】
請求項１において、さらに前記サンプリング管の水平方向移動手段を備えたことを特徴とする廃棄物処分場のガス検知システム。
【請求項３】
請求項１または２において、垂直及び水平移動手段にそれぞれ位置検出手段を設け、各検出手段により得られる垂直・水平位置データとともに、ガス濃度データを出力することを特徴とする廃棄物処分場におけるガス検知システム。
【請求項４】
請求項１ないし３において、出力されたガス濃度データが所定の濃度を越えた段階で、警報を発生する警報発生手段を設けたことを特徴とする廃棄物処分場におけるガス検知システム。
【請求項５】
請求項４において、出力されたガス濃度データが所定の濃度を越えた段階で、ガス濃度低下手段を駆動するための制御手段を設けたことを特徴とする廃棄物処分場におけるガス検知システム。
【発明の詳細な説明】
【技術分野】
【０００１】
本発明は、例えば閉鎖式廃棄物処分場内に発生するガスを検出するシステムに関する。
【背景技術】
【０００２】
廃棄物を埋め立て・貯蔵する廃棄物処分場では、地面を凹状に掘削・成形し、その凹部に廃棄物を順次埋め立てられる。埋め立てられた廃棄物からはメタン、水素、一酸化炭素、硫化水素などの可燃性あるいは臭気性の有毒ガスが発生する。そこで、この処分場あるいは周囲の衛生環境などの観点から、これら有害ガスの濃度を随時測定する必要がある。
【０００３】
また、周囲の環境衛生を鑑み、近年では埋立処分場を屋根で覆った閉鎖式の廃棄物処分場も建設されるようになった。この閉鎖式廃棄物処分場では、廃棄物の埋め立てに伴って廃棄物表層の高さが徐々に高くなっていくため、ガス濃度センサを固定式にした場合には、廃棄物の埋立進捗にあわせて盛り換えを行わなければならず、その作業が面倒となる。
【０００４】
このため、特許文献１に見られるように、空気より重いガスについては、設置高度を可変設定できる搬機などにガス検出器を設置し、廃棄物表面からの高度を所定高度に維持しつつガスを検出し、空気より軽いガスについては天井部にガス検出器を設置して濃度検出を行っている。
【特許文献１】特開２００１−２５９５６０号公報
【発明の開示】
【発明が解決しようとする課題】
【０００５】
廃物処分場における従来のガス検出方法では、所定の高度における所定のガスの濃度しか検出できない。廃棄物から発生するガスの高度・濃度特性は、処分場自体の形状、廃棄物の埋立形状、処分場における空気の流れやその強さ・温度・湿度など様々な要因により、高い再現性があるとは必ずしもいえない。すなわち、最高濃度が検出される高度は検出時における各種要因により一定ではない。従って、有毒ガスが高濃度で発生していたとしても、所定の高度で測定したのでは、それを検出し損なう可能性がある。
【０００６】
また、空気より軽いガスについても同様に各種要因によりその濃度が必ずしも天井付近で最高値となる訳ではない。勿論、従来のガス検出方法では空気と同じ程度の重さのガスを検出して濃度測定することもできない。
【０００７】
さらには廃棄物処分場室内にガスの種類に応じて複数のセンサを配置した場合にはこれを支えるための搬機の重量負荷が大で、配線も錯雑となる。
【０００８】
本発明は上記課題を解決するために創作されたものであり、廃棄物を埋設する廃棄物処分場において空間内に偏在する各種有毒ガスを確実に検出してその濃度を測定できるガス検出システムを提供することを目的としている。
【課題を解決するための手段】
【０００９】
上記目的を達成するため、本発明は、廃棄物を埋設する廃棄物処分場におけるガス検知システムであって、廃棄物処分場の屋根部より吊り下げられ、かつ先端部に吸引口を設けたガスサンプリング管と、サンプリング管を上下方向に移動させる垂直移動手段と、廃棄物処分場外に導出された前記サンプリング管の吸引端に接続されたガス検知手段とを備えた。
【００１０】
また本発明では、さらに前記サンプリング管の水平方向移動手段を備えることもできる。
【００１１】
さらには、垂直及び水平移動手段にそれぞれ位置検出手段を設け、各検出手段により得られる垂直・水平位置データとともに、ガス濃度データを出力することもできる。
【００１２】
またさらに、出力されたガス濃度データが所定の濃度を越えた段階で、警報を発生する警報発生手段を設けてもよいし、ガス濃度低下手段を駆動するための制御手段を設けてもよい。
【発明の効果】
【００１３】
本発明のガス検出方法によれば、閉鎖型廃棄物処分場内で発生する有毒ガスが偏在している場合においても、確実にそのガスを検出して危険や環境衛生の悪化を回避することができる。
【発明を実施するための最良の形態】
【００１４】
図１は本発明にかかるガス検出システムを備えた廃棄物処分場の正断面説明図である。
【００１５】
図において廃棄物処分場１は閉鎖型の処分場であり、中央部に向けて凹状となるように正面視左右対称の階段形に掘削された廃棄物埋立部２の地表部周囲は壁部３により囲われ、その壁部３の上部には切り妻式の屋根４が葺かれ、処分場１の全体をこれら壁部３及び屋根４からなる建屋５で覆っている。
【００１６】
屋根４の棟部両側には換気設備６が設けられ、壁部３には換気装置７が設けられ、処分場１の内外の換気がなされる。換気設備６は例えば電動開閉式の天窓、換気装置７は脱臭フィルタ付き排気ファンあるいは給気ファンなどからなるものであり、これらにより建屋５の内外を流通可能としている。
【００１７】
建屋５の中央及び左右対称位置にはそれぞれ垂直移動手段としての巻き取り装置８を介してガスサンプリング管９が鉛直に懸垂され、その先端に設けたラッパ状の吸引口１０を廃棄物埋立部２内に埋め立てられた廃棄物Ａの上方に対向させている。
【００１８】
サンプリング管９は、例えば可撓性チューブからなるものであり、それぞれ屋根４の内側及び壁部３に沿って這い回され、処分場１の外部に建てられた別棟モニタリング室１１内に導入される。
【００１９】
モニタリング室１１内には、吸引用ポンプ１２、ガス検知器１４、計測部１５及びコンピュータなどからなる制御部１６が設けられており、吸引ポンプ１２の吸引動作により各吸引口１０から吸引されたガスは検知器１４に導入され、その濃度を電気信号として計測部１５で計測し、ここから出力する。
【００２０】
制御部１６はこの電気信号を受入れるとともに、この信号に基づき、前記換気設備６、換気装置７を駆動制御するほか、警報信号などを出力する。なお、これら計測機器は一つとして描いているが、実際には、各吸引ポンプ毎にガスの種類に応じて検知器１４内には複数のセンサが内蔵され、ガスは分岐状態で各センサ内に導入され、ガスの種類毎にその濃度が検出され、個別に出力される。従って建屋５の中央及び左右で個別かつ種類に応じて各ガス濃度が測定されることになる。
【００２１】
巻き取り装置８は前記制御部１６の指令に基づきサンプリング管９を上下方向に昇降させるほか、図１の紙面と直交する方向にも移動可能であり、これにより建屋各部の垂直、水平方向のガス濃度が検出されることになる。
【００２２】
図２に巻き取り装置８の具体例を示す。巻き取り装置８は、建屋５の天井部に沿って配置されたガイドレール２０と、ガイドレール２０上に走行可能に設置され、かつ互いに連結された一対の台車２１，２２と、一方の台車２１の下部に懸垂状態に配置された一対の懸垂用プーリ２３と、ガイドレール２０の端部に固定状態に配置されたガイドプーリ２４と、各懸垂用プーリ２３、ガイドプーリ２４に掛け回され、かつ一端を繰り出し、巻き取り用モータＭ１に連結し、他端を前記吸引口１０に結合した一対のワイヤＷと、両台車２１，２２の下部に平行に連結された前記サンプリング管９の支持バー２５とを備えている。支持バー２５の下部にはサンプリング管９のたわみ取り用の複数のガイドプーリ２６が配置され、その先端側であるサンプリング管９の垂下中間部が鉛直軸回りに比較的密な螺旋を描いた状態でその垂下端を前記吸引口１０に接続し、後端側を前記モニタリング室１１内に設置されたホースリール２７に巻き取られ、その端部を前記吸引ポンプ１２に接続している。
【００２３】
従って、モータＭ１によるワイヤーＷの巻き取り繰り出し動作により吸引口１０は上下降し、これによって、各高さ位置における各ガスの濃度を測定できる。
【００２４】
また、前記台車２１，２２のうち、台車２２は駆動台車であり、モータＭ２により駆動され、ガイドレール２０に沿って前後進可能となっている。各モータＭ１，Ｍ２にはエンコーダなどの回転検出器が内蔵され、この検出信号を前記制御部１６に送出するとともに、制御部１６ではこの信号によって得られた高さ情報及び位置情報とともに、各計測部１５で得られたガスの種類及び濃度分布などを一対の情報として順次そのモニターに表示することで、ガス濃度の高度依存性、平面位置での濃度分布などを得ることかできる。
【００２５】
なおこの場合、高度とガス濃度とを対応付けした適当な処理ソフトによりその記録情報を順次グラフ化し、モニターに表示することでガス濃度の分布を視覚的に把握することが可能である。
【００２６】
また例えば、所定の濃度を超えた場合に制御部１６を通じて表示や音による警報出力を発生させるなど、ガス検出結果は適宜に出力することができる。この場合、検出対象となる複数種類のガスに応じて警報の音や表示を変えれば、どの種類のガスの濃度が許容範囲を超えたのかを聴覚あるいは視覚により判別することができる。これに加え、検出結果に基づき所定の濃度を超えた時点で、前述の換気設備６・換気装置７を作動させることができる。この場合、位置情報により、換気すべき場所も特定できる。例えば廃棄物処分場１内の複数箇所で換気用送風口があれば、換気すべき場所に近い送風口から清浄な空気を送り込むなどして効果的・集中的に換気することができる。
【００２７】
なお、以上の実施例では、水平方向移動手段として建屋５の長手方向に沿ってのみ移動可能としたが、ＸＹ方向に移動可能とすることで、一本のサンプリング管９で建屋５の面内及び垂直方向全てのガス濃度分布を計測できる。
【００２８】
また、サンプリング管９の垂下中間部を鉛直軸回りに比較的密な螺旋を描いた状態としたが、吸引口１０がその底部に設けられるかご内に設けた鉛直軸ないしは水平軸回りに回転可能なドラムに巻き回してもよい。
【００２９】
さらに、当該かごの底面には、その底面と廃棄物天端との間の距離を測定する超音波センサ等のセンサを設け、吸引口１０が廃棄物天端に当たらないよう所定の距離を保持するよう手動又は自動にて制御することもできる。
【図面の簡単な説明】
【００３０】
【図１】本発明にかかるガス検出システムを備えた廃棄物処分場の正断面説明図である。
【図２】同巻き取り装置の詳細構成を示す側断面説明図である。
【符号の説明】
【００３１】
１  廃棄物処分場
５  建屋
６，７  ガス濃度低下手段（６  換気設備、７  換気装置）
８  巻き取り装置（垂直移動手段）
９  ガスサンプリング管
１０  吸引口
１１  モニタリング室
１４，１５  ガス検知手段（１４  ガス検知器、１６  計測部）
２０，２１，２２  水平移動手段（２０ガイドレール、２１，２２  台車）
１６  制御部（制御手段）
【図１】
2005186024.tif 000003
【図２】
2005186024.tif 000004